(57)【特許請求の範囲】
【請求項１】
主体を含み、前記主体は第一部品送り込み空間を含み、
前記第一部品送り込み空間の中には連結用プレート及び噛合ブロックの中に入る部品送り込み機構を有し、前記第一部品送り込み空間の底端壁には第一スライド溝が固定的に形成され、前記第一スライド溝の中には第一スライダがスライドできるように設置され、前記第一スライダの底端には第一開口溝が固定的に形成され、前記第一開口溝の上側の前後端面の中には第一部品送り込み穴が固定的に設置され、前記第一部品送り込み空間の右側には第二部品送り込み空間が固定的に設置され、前記第二部品送り込み空間の中には前後方向に延在する第一回転軸が回転できるように設置され、前記第一回転軸には回転車が固定的に設置され、前記回転車には外部に開口した第二部品送り込み穴が固定的に設置され、前記第一部品送り込み空間と前記第二部品送り込み空間との下側にはスライド空間が設置され、前記スライド空間の中には噛合ブロックと連結プレートとをピンにより連結する連結機構を有し、前記スライド空間と、前記第一部品送り込み空間と、前記第二部品送り込み空間とには傾斜スライドレールが連通するように設置され、前記スライド空間の後端壁と前記スライド空間とには連結空間が連通するように設置され、前記連結空間の中には第二スライド溝が固定的に形成され、前記第二スライド溝の中には第二スライダがスライドできるように設置され、前記第二スライダの後端には第二開口溝が固定的に形成され、前記第二開口溝の中には第二回転軸が回転できるように設置され、前記第二回転軸には第一カムが固定的に設置され、
前記スライド空間の後側には伝動空間が固定的に設置され、前記伝動空間の中には伝動機構を有し、前記伝動空間の前端壁の中にはモーターが固定的に設置されていることを特徴とするチェーンの自動組立設備。
【請求項２】
前記部品送り込み機構は前記第一部品送り込み空間を含み、前記第一部品送り込み空間の底端壁には前記第一スライド溝が固定的に形成され、前記第一スライド溝の中には前記第一スライダがスライドできるように設置され、前記第一スライダの底端には前記第一開口溝が固定的に形成され、前記第一開口溝の上側の前後端面の中には前記第一部品送り込み穴が固定的に設置され、前記第一部品送り込み空間の右側には前記第二部品送り込み空間が固定的に設置され、前記第二部品送り込み空間の中には前後方向に延在する前記第一回転軸が回転できるように設置され、前記第一回転軸には前記回転車が固定的に設置され、前記回転車には外部に開口した前記第二部品送り込み穴が固定的に設置され、前記第一スライド溝の左端壁には第三スライド溝が固定的に形成され、前記第三スライド溝の中には第三スライダがスライドできるように設置され、前記第三スライダは前記第一スライド溝の中に入ることができ、前記第三スライダの左端面と前記第三スライド溝の左端面との間には第一ばねが連結され、前記第一開口溝の中には前後方向に延在する第三回転軸が回転できるように設置され、前記第三回転軸には第二カムが固定的に設置されていることを特徴とする請求項１に記載のチェーンの自動組立設備。
【請求項３】
前記連結機構は前記スライド空間を含み、前記スライド空間と、前記第一部品送り込み空間と、前記第二部品送り込み空間とには前記傾斜スライドレールが連通するように設置され、前記スライド空間の後端壁と前記スライド空間とには前記連結空間が連通するように設置され、前記連結空間の中には前記第二スライド溝が固定的に形成され、前記第二スライド溝の中には前記第二スライダがスライドできるように設置され、前記第二スライダの後端には前記第二開口溝が固定的に形成され、前記第二開口溝の中には前記第二回転軸が回転できるように設置され、前記第二回転軸には前記第一カムが固定的に設置され、前記第二スライダにおいて前記第二開口溝の前側に位置するところには第三開口溝が固定的に形成され、前記第三開口溝の中には固定ブロックが固定的に設置され、前記固定ブロックには第四回転軸が回転できるように設置され、前記第四回転軸には第一ベルトプーリが固定的に設置され、前記第三開口溝の中には回転ブロックがスライドできるように設置され、前記回転ブロックの後端壁の中には第四スライド溝が固定的に形成され、前記第四回転軸は前記第四スライド溝の中でスライドでき、前記回転ブロックの左右両端には協働ブロックが固定的に設置され、前記協働ブロックには嵌合穴が設置され、前記第二スライダは前記嵌合穴の中に伸びることができ、前記回転ブロックの前端面には押出ブロックが固定的に設置されていることを特徴とする請求項１に記載のチェーンの自動組立設備。
【請求項４】
前記スライド空間において前記連結空間の右側に位置するところにはピンを噴出させるスプレーガンが固定的に設置され、前記スプレーガンの右側には押し動かしブロックがスライドできるように設置され、前記押し動かしブロックの右端面には第一連結ブロックが固定的に設置され、前記第一連結ブロックの中には第四開口溝が形成され、前記第四開口溝の中には第一コンロッドが回転できるように設置され、前記スライド空間の右端には前後方向に延在する第五回転軸が回転できるように設置され、前記第五回転軸には旋転車輪が固定的に設置され、前記旋転車輪の前端面には第二コンロッドが固定的に設置され、前記第一コンロッドと前記第二コンロッドとの間には第三コンロッドがヒンジで連結されていることを特徴とする請求項３に記載のチェーンの自動組立設備。
【請求項５】
前記伝動空間の前端壁の中にはモーターが固定的に設置され、前記モーターの後端面には第六回転軸が回転できるように設置され、前記伝動空間の中に位置する前記第三回転軸には第一歯車が固定的に設置され、前記伝動空間の中に位置する前記第一回転軸には第二歯車が固定的に設置され、前記第六回転軸の前側には扇状歯車が固定的に設置され、前記扇状歯車は前記第一歯車と、前記第二歯車と噛み合うことができ、前記扇状歯車の後側に位置する前記第六回転軸には第二ベルトプーリが固定的に設置され、前記第二ベルトプーリと前記第一ベルトプーリとの間には第一ベルトが回転できるように設置され、前記第二ベルトプーリの後側に位置する前記第六回転軸には第一傘歯車が固定的に設置され、前記第二回転軸の頂端には前記第一傘歯車と噛み合う第二傘歯車が固定的に設置され、前記第六回転軸の下側には第七回転軸が回転できるように設置され、前記第七回転軸の後端には前記第一ベルトと伝動できる第三ベルトプーリが固定的に設置され、前記第七回転軸の前端には第四ベルトプーリが固定的に設置され、前記伝動空間の中に位置する前記第五回転軸には第五ベルトプーリが固定的に設置され、前記第五ベルトプーリと前記第四ベルトプーリとの間には第二ベルトが回転できるように設置されていることを特徴とする請求項３に記載のチェーンの自動組立設備。
【発明の詳細な説明】
【技術分野】
【０００１】
本願発明はチェーンの組み立て分野に関わり、具体的にはチェーンの自動組立設備である。
【背景技術】
【０００２】
周知のように、チェーン伝動は機械伝動分野に幅広く応用されて色々なメリットがある。まず、チェーン伝動はベルトとプーリと間での相対すべりまたは弾性すべりのような問題はなく、角速度が平均値に達する時の速度伝達比は精度が高くて効率も高い。また、伝達功率がよく、過負荷容量が大きい。そして同じ作動状態で、チェーン伝動は伝達サイズが小さく、締め付け力は小さく、軸に作用する圧力は小さく、また高温、多湿、ほこり、汚染などの過酷な環境で機能する。チェーンの組立方法はチェーンの使用寿命に関わり、市販されるチェーンの組立機は効率が低く、チェーンの内部構造がしっかりと連結されることができなく、ピンが落ちやすく、一体化程度が低い。従って、上記の問題を解決するため、チェーンの自動組立設備を設計する必要がある。
【先行技術文献】
【特許文献】
【０００３】
【特許文献１】中国特許出願公開第１３０６１８７号明細書
【発明の概要】
【発明が解決しようとする課題】
【０００４】
本願発明の解決しようとする技術問題はチェーンの自動組立設備を提供するのであり、当該設備はピンを介して噛合ブロックと連結プレートとを快速に連結でき、効率が高くて一体化程度も高く、また感度がよくて機能が豊富である。
【課題を解決するための手段】
【０００５】
本願発明は以下の技術プランにより実現される。
【０００６】
チェーンの自動組立設備は、主体を含み、前記主体は第一部品送り込み空間を含む。
【０００７】
前記第一部品送り込み空間の中には連結用プレート及び噛合ブロックの中に入る部品送り込み機構を有し、前記第一部品送り込み空間の底端壁には第一スライド溝が固定的に形成され、前記第一スライド溝の中には第一スライダがスライドできるように設置され、前記第一スライダの底端には第一開口溝が固定的に形成され、前記第一開口溝の上側の前後端面の中には第一部品送り込み穴が固定的に設置され、前記第一部品送り込み空間の右側には第二部品送り込み空間が固定的に設置され、前記第二部品送り込み空間の中には前後方向に延在する第一回転軸が回転できるように設置され、前記第一回転軸には回転車が固定的に設置され、前記回転車には外部に開口した第二部品送り込み穴が固定的に設置されている。
【０００８】
前記第一部品送り込み空間と前記第二部品送り込み空間との下側にはスライド空間が設置され、前記スライド空間の中には噛合ブロックと連結プレートとをピンにより連結する連結機構を有し、前記スライド空間と、前記第一部品送り込み空間と、前記第二部品送り込み空間とには傾斜スライドレールが連通するように設置され、前記スライド空間の後端壁と前記スライド空間とには連結空間が連通するように設置され、前記連結空間の中には第二スライド溝が固定的に形成され、前記第二スライド溝の中には第二スライダがスライドできるように設置され、前記第二スライダの後端には第二開口溝が固定的に形成され、前記第二開口溝の中には第二回転軸が回転できるように設置され、前記第二回転軸には第一カムが固定的に設置されている。
【０００９】
前記スライド空間の後側には伝動空間が固定的に設置され、前記伝動空間の中には伝動機構を有し、前記伝動空間の前端壁の中にはモーターが固定的に設置されている。
【００１０】
さらに、前記部品送り込み機構は前記第一部品送り込み空間を含み、前記第一部品送り込み空間の底端壁には前記第一スライド溝が固定的に形成され、前記第一スライド溝の中には前記第一スライダがスライドできるように設置され、前記第一スライダの底端には前記第一開口溝が固定的に形成され、前記第一開口溝の上側の前後端面の中には前記第一部品送り込み穴が固定的に設置され、前記第一部品送り込み空間の右側には前記第二部品送り込み空間が固定的に設置され、前記第二部品送り込み空間の中には前後方向に延在する前記第一回転軸が回転できるように設置され、前記第一回転軸には前記回転車が固定的に設置され、前記回転車には外部に開口した前記第二部品送り込み穴が固定的に設置され、前記第一スライド溝の左端壁には第三スライド溝が固定的に形成され、前記第三スライド溝の中には第三スライダがスライドできるように設置され、前記第三スライダは前記第一スライド溝の中に入ることができ、前記第三スライダの左端面と前記第三スライド溝の左端面との間には第一ばねが連結され、前記第一開口溝の中には前後方向に延在する第三回転軸が回転できるように設置され、前記第三回転軸には第二カムが固定的に設置されている。
【００１１】
さらに、前記連結機構は前記スライド空間を含み、前記スライド空間と、前記第一部品送り込み空間と、前記第二部品送り込み空間とには前記傾斜スライドレールが連通するように設置され、前記スライド空間の後端壁と前記スライド空間とには前記連結空間が連通するように設置され、前記連結空間の中には前記第二スライド溝が固定的に形成され、前記第二スライド溝の中には前記第二スライダがスライドできるように設置され、前記第二スライダの後端には前記第二開口溝が固定的に形成され、前記第二開口溝の中には前記第二回転軸が回転できるように設置され、前記第二回転軸には前記第一カムが固定的に設置され、前記第二スライダにおいて前記第二開口溝の前側に位置するところには第三開口溝が固定的に形成され、前記第三開口溝の中には固定ブロックが固定的に設置され、前記固定ブロックには第四回転軸が回転できるように設置され、前記第四回転軸には第一ベルトプーリが固定的に設置され、前記第三開口溝の中には回転ブロックがスライドできるように設置され、前記回転ブロックの後端壁の中には第四スライド溝が固定的に形成され、前記第四回転軸は前記第四スライド溝の中でスライドでき、前記回転ブロックの左右両端には協働ブロックが固定的に設置され、前記協働ブロックには嵌合穴が設置され、前記第二スライダは前記嵌合穴の中に伸びることができ、前記回転ブロックの前端面には押出ブロックが固定的に設置されている。
【００１２】
さらに、前記スライド空間において前記連結空間の右側に位置するところにはピンを噴出させるスプレーガンが固定的に設置され、前記スプレーガンの右側には押し動かしブロックがスライドできるように設置され、前記押し動かしブロックの右端面には第一連結ブロックが固定的に設置され、前記第一連結ブロックの中には第四開口溝が形成され、前記第四開口溝の中には第一コンロッドが回転できるように設置され、前記スライド空間の右端には前後方向に延在する第五回転軸が回転できるように設置され、前記第五回転軸には旋転車輪が固定的に設置され、前記旋転車輪の前端面には第二コンロッドが固定的に設置され、前記第一コンロッドと前記第二コンロッドとの間には第三コンロッドがヒンジで連結されている。
【００１３】
さらに、前記伝動空間の前端壁の中にはモーターが固定的に設置され、前記モーターの後端面には第六回転軸が回転できるように設置され、前記伝動空間の中に位置する前記第三回転軸には第一歯車が固定的に設置され、前記伝動空間の中に位置する前記第一回転軸には第二歯車が固定的に設置され、前記第六回転軸の前側には扇状歯車が固定的に設置され、前記扇状歯車は前記第一歯車と、前記第二歯車と噛み合うことができ、前記扇状歯車の後側に位置する前記第六回転軸には第二ベルトプーリが固定的に設置され、前記第二ベルトプーリと前記第一ベルトプーリとの間には第一ベルトが回転できるように設置され、前記第二ベルトプーリの後側に位置する前記第六回転軸には第一傘歯車が固定的に設置され、前記第二回転軸の頂端には前記第一傘歯車と噛み合う第二傘歯車が固定的に設置され、前記第六回転軸の下側には第七回転軸が回転できるように設置され、前記第七回転軸の後端には前記第一ベルトと伝動できる第三ベルトプーリが固定的に設置され、前記第七回転軸の前端には第四ベルトプーリが固定的に設置され、前記伝動空間の中に位置する前記第五回転軸には第五ベルトプーリが固定的に設置され、前記第五ベルトプーリと前記第四ベルトプーリとの間には第二ベルトが回転できるように設置されている。
【発明の効果】
【００１４】
本願発明の有益な効果は：本願発明のチェーンの自動組立設備は部品の送り込み機構を介して噛合ブロックと連結プレートとを連結機構の中に交替して送り、組み立てに便利であり、部品を送り込む過程に必要な機能が完備し、感度がよい。また、連結機構は噛合ブロックと連結プレートとをピンを介して連結し、回転または押出など作動でピンの後端を平らにしてから噛合ブロックと連結プレートとを組み立てる。このプロセスは、高効率で高い一体化程度を有し、本願発明の設備は自動的に組み立てられたチェーンを押し出す。同時に、エネルギー利用率が高く、操作が簡単で、作動過程が安全かつ快速である。
【図面の簡単な説明】
【００１５】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の実施例の機械構成概略図
【図２】図２は図１におけるＡ―Ａの構成概略図
【図３】図３は図１におけるＢ―Ｂの構成概略図
【図４】図４は図１におけるＣ―Ｃの構成概略図
【図５】図５は図３におけるＤ―Ｄの構成概略図
【図６】図６は図５におけるＥ―Ｅの構成概略図
【発明を実施するための形態】
【００１７】
付図１〜６に示しているチェーンの自動組立設備は、主体７１を含み、前記主体７１は第一部品送り込み空間１０を含み、前記第一部品送り込み空間１０の中には連結用プレート及び噛合ブロックの中に入る部品送り込み機構９０を有し、前記第一部品送り込み空間１０の底端壁には第一スライド溝２１が固定的に形成され、前記第一スライド溝２１の中には第一スライダ１４がスライドできるように設置され、前記第一スライダ１４の底端には第一開口溝１５が固定的に形成され、前記第一開口溝１５の上側の前後端面の中には第一部品送り込み穴６３が固定的に設置され、前記第一部品送り込み空間１０の右側には第二部品送り込み空間３４が固定的に設置され、前記第二部品送り込み空間３４の中には前後方向に延在する第一回転軸３２が回転できるように設置され、前記第一回転軸３２には回転車３３が固定的に設置され、前記回転車３３には外部に開口した第二部品送り込み穴３１が固定的に設置されている。
【００１８】
前記第一部品送り込み空間１０と前記第二部品送り込み空間３４との下側にはスライド空間１８が設置され、前記スライド空間１８の中には噛合ブロックと連結プレートとをピンにより連結する連結機構９１を有し、前記スライド空間１８と、前記第一部品送り込み空間１０と、前記第二部品送り込み空間３４とには傾斜スライドレール３０が連通するように設置され、前記スライド空間１８の後端壁と前記スライド空間１８とには連結空間３６が連通するように設置され、前記連結空間３６の中には第二スライド溝３７が固定的に形成され、前記第二スライド溝３７の中には第二スライダ４１がスライドできるように設置され、前記第二スライダ４１の後端には第二開口溝４８が固定的に形成され、前記第二開口溝４８の中には第二回転軸４９が回転できるように設置され、前記第二回転軸４９には第一カム５０が固定的に設置されている。
【００１９】
前記スライド空間１８の後側には伝動空間５１が固定的に設置され、前記伝動空間５１の中には伝動機構９２を有し、前記伝動空間５１の前端壁の中にはモーター５５が固定的に設置されている。
【００２０】
前記部品送り込み機構９０は前記第一部品送り込み空間１０を含み、前記第一部品送り込み空間１０の底端壁には前記第一スライド溝２１が固定的に形成され、前記第一スライド溝２１の中には前記第一スライダ１４がスライドできるように設置され、前記第一スライダ１４の底端には前記第一開口溝１５が固定的に形成され、前記第一開口溝１５の上側の前後端面の中には前記第一部品送り込み穴６３が固定的に設置され、前記第一部品送り込み空間１０の右側には前記第二部品送り込み空間３４が固定的に設置され、前記第二部品送り込み空間３４の中には前後方向に延在する前記第一回転軸３２が回転できるように設置され、前記第一回転軸３２には前記回転車３３が固定的に設置され、前記回転車３３には外部に開口した前記第二部品送り込み穴３１が固定的に設置され、前記第一スライド溝２１の左端壁には第三スライド溝１１が固定的に形成され、前記第三スライド溝１１の中には第三スライダ１３がスライドできるように設置され、前記第三スライダ１３は前記第一スライド溝２１の中に入ることができ、前記第三スライダ１３の左端面と前記第三スライド溝１１の左端面との間には第一ばね１２が連結され、前記第一開口溝１５の中には前後方向に延在する第三回転軸１６が回転できるように設置され、前記第三回転軸１６には第二カム１７が固定的に設置されている。
【００２１】
前記連結機構９１は前記スライド空間１８を含み、前記スライド空間１８と、前記第一部品送り込み空間１０と、前記第二部品送り込み空間３４とには前記傾斜スライドレール３０が連通するように設置され、前記スライド空間１８の後端壁と前記スライド空間１８とには前記連結空間３６が連通するように設置され、前記連結空間３６の中には前記第二スライド溝３７が固定的に形成され、前記第二スライド溝３７の中には前記第二スライダ４１がスライドできるように設置され、前記第二スライダ４１の後端には前記第二開口溝４８が固定的に形成され、前記第二開口溝４８の中には前記第二回転軸４９が回転できるように設置され、前記第二回転軸４９には前記第一カム５０が固定的に設置され、前記第二スライダ４１において前記第二開口溝４８の前側に位置するところには第三開口溝４７が固定的に形成され、前記第三開口溝４７の中には固定ブロック４６が固定的に設置され、前記固定ブロック４６には第四回転軸４４が回転できるように設置され、前記第四回転軸４４には第一ベルトプーリ４５が固定的に設置され、前記第三開口溝４７の中には回転ブロック３９がスライドできるように設置され、前記回転ブロック３９の後端壁の中には第四スライド溝４３が固定的に形成され、前記第四回転軸４４は前記第四スライド溝４３の中でスライドでき、前記回転ブロック３９の左右両端には協働ブロック４２が固定的に設置され、前記協働ブロック４２には嵌合穴４０が設置され、前記第二スライダ４１は前記嵌合穴４０の中に伸びることができ、前記回転ブロック３９の前端面には押出ブロック３８が固定的に設置され、前記スライド空間１８において前記連結空間３６の右側に位置するところにはピンを噴出させるスプレーガン２０が固定的に設置され、前記スプレーガン２０の右側には押し動かしブロック２２がスライドできるように設置され、前記押し動かしブロック２２の右端面には第一連結ブロック２３が固定的に設置され、前記第一連結ブロック２３の中には第四開口溝２４が形成され、前記第四開口溝２４の中には第一コンロッド２５が回転できるように設置され、前記スライド空間１８の右端には前後方向に延在する第五回転軸２８が回転できるように設置され、前記第五回転軸２８には旋転車輪２７が固定的に設置され、前記旋転車輪２７の前端面には第二コンロッド２９が固定的に設置され、前記第一コンロッド２５と前記第二コンロッド２９との間には第三コンロッド２６がヒンジで連結されている。
【００２２】
前記伝動空間５１の前端壁の中にはモーター５５が固定的に設置され、前記モーター５５の後端面には第六回転軸５９が回転できるように設置され、前記伝動空間５１の中に位置する前記第三回転軸１６には第一歯車５３が固定的に設置され、前記伝動空間５１の中に位置する前記第一回転軸３２には第二歯車６０が固定的に設置され、前記第六回転軸５９の前側には扇状歯車５４が固定的に設置され、前記扇状歯車５４は前記第一歯車５３と、前記第二歯車６０と噛み合うことができ、前記扇状歯車５４の後側に位置する前記第六回転軸５９には第二ベルトプーリ５８が固定的に設置され、前記第二ベルトプーリ５８と前記第一ベルトプーリ４５との間には第一ベルト５７が回転できるように設置され、前記第二ベルトプーリ５８の後側に位置する前記第六回転軸５９には第一傘歯車５６が固定的に設置され、前記第二回転軸４９の頂端には前記第一傘歯車５６と噛み合う第二傘歯車６５が固定的に設置され、前記第六回転軸５９の下側には第七回転軸６６が回転できるように設置され、前記第七回転軸６６の後端には前記第一ベルト５７と伝動できる第三ベルトプーリ７０が固定的に設置され、前記第七回転軸６６の前端には第四ベルトプーリ６８が固定的に設置され、前記伝動空間５１の中に位置する前記第五回転軸２８には第五ベルトプーリ６９が固定的に設置され、前記第五ベルトプーリ６９と前記第四ベルトプーリ６８との間には第二ベルト６７が回転できるように設置されている。
【００２３】
本願発明の設備の機械作動の順序は以下の通りである。
【００２４】
１．前記モーター５５を作動させ、前記モーター５５は回転して前記第六回転軸５９を駆動して回転させ、前記第六回転軸５９の回転は前記扇状歯車５４を駆動して回転させ、前記扇状歯車５４の回転は歯車の協働により前記第一歯車５３と前記第二歯車６０とを駆動して間欠的に回転させ、前記第一歯車５３が間欠的に回転することで前記第三回転軸１６を駆動して間欠的に回転させ、前記第二歯車６０が間欠的に回転することで前記第一回転軸３２を駆動して間欠的に回転させる。
【００２５】
２．前記第三回転軸の間欠的な回転は前記第二カム１７を回転させ、前記第二カム１７の回転は前記第一スライダ１４を上下に移動させ、前記第一スライダ１４が上方に移動する時に、前記第一部品送り込み空間１０の中の連結プレートは前記第一部品送り込み穴６３の中に入り、前記第一スライダ１４が上方に移動することで前記第三スライダ１３を押し、前記第三スライダ１３が左方にスライドし、前記第一スライダ１４が下方にスライドする時に、前記第三スライダ１３は前記第一ばね１２の作用で右方にスライドし、前記第三スライダ１３が右方にスライドして前記第一部品送り込み穴６３の中に入り、この時に前記第三スライダ１３は前記第一部品送り込み穴６３の中の連結プレートを前記傾斜スライドレール３０の中にプッシュし、前記第一回転軸３２が間欠的に回転することで前記回転車３３を駆動して間欠的に回転させ、前記回転車３３の間欠的な回転は前記第二部品送り込み空間３４の中の噛合ブロックを前記第二部品送り込み穴３１の中に入らせ、前記回転車３３は持続的に回転することで前記第二部品送り込み穴３１の中の噛合ブロックを前記傾斜スライドレール３０の中に入らせる。
【００２６】
３．前記モーター５５が前記第六回転軸５９を回転させ、前記第六回転軸５９の回転は前記第二ベルトプーリ５８を駆動して回転させ、前記第二ベルトプーリ５８の回転は前記第一ベルト５７を回転させ、前記第一ベルト５７の回転は前記第三ベルトプーリ７０を駆動して回転させ、前記第三ベルトプーリ７０の回転は前記第七回転軸６６を駆動して回転させ、前記第七回転軸６６の回転は前記第四ベルトプーリ６８を駆動して回転させ、前記第四ベルトプーリ６８の回転は前記第二ベルト６７を駆動して回転させ、前記第二ベルト５７の回転は前記第五ベルトプーリ６９を回転させ、前記第五ベルトプーリ６９の回転は前記第五回転軸２８を駆動して回転させ、前記第五回転軸２８の回転は前記旋転車輪２７を駆動して回転させ、前記旋転車輪２７の回転はヒンジで連結された前記第三コンロッド２６により前記押し動かしブロック２２を駆動して左右にスライドさせ、前記押し動かしブロック２２が左右にスライドすることで組み立てられたチェーンを左方に押し動かし、本願発明の設備の一体化程度が高い。
【００２７】
４．前記スプレーガン２０はピンを噴出させ、ピンにより連結プレートと噛合ブロックとを連結し、前記第六回転軸５９が回転することで前記第一傘歯車５６を駆動して回転させ、前記第一傘歯車５６の回転は歯車の噛合により前記第二傘歯車６５を駆動して回転させ、前記第二傘歯車６５の回転は前記第二回転軸４６を駆動して回転させ、前記第二回転軸４６の回転は前記第一カム５０を駆動して回転させ、前記第一カム５０の回転は前記第二スライダ４１を前後にスライドさせ、前記第一ベルト５７が回転することで前記第一ベルトプーリ４５を駆動して回転させ、前記第一ベルトプーリ４５の回転は前記第四回転軸４４を駆動して回転させ、前記第四回転軸４４の回転は前記回転ブロック３９を駆動して回転させ、前記回転ブロック３９の回転は前記押出ブロック３８を駆動して回転させ、前記第二スライダ４１は前方にスライドすると同時に、前記第二スライダ４１は回転している前記回転ブロック３９を前方にスライドさせ、この時に前記押出ブロック３８はピンを平らにしてチェーンを組み立て、本願発明の設備の自動化程度が高く、各機構の間の伝動は緊密であり、運動エネルギーの利用率が高い。
【００２８】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本願発明はチェーンの自動組立設備を開示した。
【解決手段】
主体を含み、前記主体は第一部品送り込み空間を含み、前記第一部品送り込み空間の中には連結用プレート及び噛合ブロックの中に入る部品送り込み機構を有し、前記第一部品送り込み空間の底端壁には第一スライド溝が固定的に形成され、前記第一スライド溝の中には第一スライダがスライドできるように設置され、前記第一スライダの底端には第一開口溝が固定的に形成され、部品を送り込む過程に必要な機能が完備し、感度がよい。また、連結機構は噛合ブロックと連結プレートとをピンを介して連結し、回転または押出など作動でピンの後端を平らにしてから噛合ブロックと連結プレートとを組み立てる。
【選択図】図１【図１】
0006764067.tif 000002
【図２】
0006764067.tif 000003
【図３】
0006764067.tif 000004
【図４】
0006764067.tif 000005
【図５】
0006764067.tif 000006
【図６】
0006764067.tif 000007